(57)【要約】【課題】敷地面積の狭い家屋において、建蔽率や高さ制限に左右されることなく可及的に広い屋内空間を提供する。【解決手段】この発明は、敷地面に築造したフーチン枠内の地中空間内の地面に防湿断熱材を敷設し、防湿断熱材の上方に地上床部を形成し、この地上床部に用途空間を形成し、更にその上方に各種居住空間を形成し、更には、かかる上下重複した用途空間と各種居住空間に隣接して地上床部から天井部に至る吹き抜け空間を形成し、また、敷地面に築造したフーチン枠内の地中空間内の地面に敷設する防湿断熱材として発泡樹脂材とし、また、地上床部に形成した用途空間の外壁は遮熱透湿防水シート材で形成したことを特徴とした家屋構造を提供する。【選択図】図３
2020029740.tif 000002
【特許請求の範囲】
【請求項１】
敷地面に築造したフーチン枠内の地中空間内の地面に防湿断熱材を敷設し、防湿断熱材の上方に地上床部を形成し、この地上床部に用途空間を形成し、更にその上方に各種居住空間を形成し、更には、かかる上下重複した用途空間と各種居住空間に隣接して地上床部から天井部に至る吹き抜け空間を形成したことを特徴とした家屋構造。
【請求項２】
敷地面に築造したフーチン枠内の地中空間内の地面に敷設する防湿断熱材として発泡樹脂材としたことを特徴とする請求項１に記載の家屋構造。
【請求項３】
地上床部に形成した用途空間の外壁は遮熱透湿防水シート材で形成したことを特徴とする請求項１または請求項２に記載の家屋構造。
【発明の詳細な説明】
【技術分野】
【０００１】
この発明は、家屋構造に関する。
【背景技術】
【０００２】
従来、建築家屋の基礎は平坦な土台コンクリートを形成し、湿気や害虫による家屋への損傷を防止するために家屋の外周部と室内の間仕切り空間に併せて土台コンクリートの立ち上がりを形成し、床下空間を通気口として構成していた。
【０００３】
しかし、技術の進歩と共に土台コンクリートに断熱パネルや防水・防湿シートを配設することで家屋内部に湿気や害虫が入り込む蓋然性を低減し、土台コンクリートの一部を住居空間として利用する技術がある（特許文献１,２）。
【０００４】
例えば、特許文献１には、１階から２階に上がる階段の下部スペースに形成する基礎スラブ面に防水処理を施すことで階段下部の床面を収納空間として利用できる構成について開示している。
【０００５】
また、特許文献２には、家屋の基礎部として形成されるコンクリートの立ち上がり部をユニット化することで基礎の施工性を向上させると共に、ユニット空間内部を収納空間や居住空間として有効利用できる基礎ユニット構造について開示している。
【先行技術文献】
【特許文献】
【０００６】
【特許文献１】特開平１０-３１７６８９号公報
【特許文献２】特開平５-２４７９４９号公報
【発明の開示】
【発明が解決しようとする課題】
【０００７】
従来の家屋では地上面にフーチンと称するコンクリートの基礎フレームを築造し、その上に家屋の基礎材を構築し、この基礎材に床材を張り合わせてその上に室内床面や畳などの屋内床部が形成される。そのため、家屋構築時には既に敷地面から所定の高さの基礎構築が行われており、敷地面積の関係で棟高さが制限されるとどうしても屋内空間も制約されて充分な広さの快適な屋内空間の間取りが取れない。
例えば、２階建て家屋では北側斜線の関係で高さの制限があり、必然的に屋内空間の容積が制限されて窮屈な空間とならざるを得ない。他方、平屋建てにすると建蔽率の関係で屋内空間の床面積が制限されて狭い敷地では充分な間取りの部屋や屋内空間を形成することができない。
【０００８】
そこで、この発明では、従来の家屋の基礎構築の構造そのものを変革して敷地面からの直接の上方空間を屋内空間に取り込み、その取り込んだ屋内空間の屋内容積を増やして、敷地面積の狭い家屋でも容積の広い２階建てのような居住空間を提供できる家屋構造を提供せんとするものである。
【課題を解決するための手段】
【０００９】
この発明は、敷地面に築造したフーチン枠内の地中空間内の地面に防湿断熱材を敷設し、防湿断熱材の上方に地上床部を形成し、この地上床部に用途空間を形成し、更にその上方に各種居住空間を形成し、更には、かかる上下重複した用途空間と各種居住空間に隣接して地上床部から天井部に至る吹き抜け空間を形成したことを特徴とした家屋構造に関する。
【００１０】
また、敷地面に築造したフーチン枠内の地中空間内の地面に敷設する防湿断熱材として発泡樹脂材としたことを特徴とする。
【００１１】
また、地上床部に形成した用途空間の外壁は遮熱透湿防水シート材で形成したことを特徴とする。
【発明の効果】
【００１２】
この発明は、敷地面に築造したフーチン枠内の地中空間内の地面に防湿断熱材を敷設し、防湿断熱材の上方に地上床部を形成し、この地上床部に用途空間を形成し、更にその上方に各種居住空間を形成し、更には、かかる上下重複した用途空間と各種居住空間に隣接して地上床部から天井部に至る吹き抜け空間を形成したことにより、フーチン枠内の敷地面から直接に地上空間が形成されていることになり、従来の換気用の床下空間を形成しない。
そのため、その床下空間を種々の多用途に使用できる用途空間として活用し、例えば食品や雑物の保管庫や一般倉庫やピアノ演奏練習用の防音スタジオやペット居住空間や各種趣味用の多用途スペース等、様々な利用用途の空間とすることができる。
このようにフーチン枠内の防湿断熱材上方の敷地面上に生活のための用途空間を直接設置することで、敷地面積の狭い家屋にもかかわらず生活空間を拡張した快適な家屋を構築することができる効果がある。また、かかる用途空間の上に重複して形成された生活のための居住空間は従来通り利用でき、何ら生活に支障がない空間とすることができる。更にはこれらの重複空間、すなわち用途空間や各種居住空間に隣接して地上床部から天井部に至る吹き抜け空間を形成することで吹き抜け空間から目視的に隣接の重複空間を仰ぎ見る形態が実現され、敷地面積が狭い空間にもかかわらず居住性を向上する効果がある。
【００１３】
また、敷地面に築造したフーチン枠内の地中空間内の地面に敷設する防湿断熱材を発泡樹脂材としたことにより従来のように床下の空間を形成することなく地上面からの湿気や寒気や放射熱を防ぐことができ簡便な材料と構造にもかかわらず快適な空間形成の家屋構造とすることができる効果がある。
【００１４】
また、地上床部に形成した用途空間の外壁を遮熱透湿防水シート材で形成したことにより簡単な構造にもかかわらず屋外からの湿気や寒気や放射熱を可及的に防ぐことができ、地上に可及的に近接した位置にある用途空間の使用に何ら支障のない生活用の空間とすることができる効果がある。
【図面の簡単な説明】
【００１５】
【図１】本発明の実施形態に係る家屋構造を示す家屋の１階を示す平面図である。
【図２】本発明の実施形態に係る家屋構造を示す家屋の２階を示す平面図である。
【図３】本発明の実施形態に係る図１のＡ-Ａ断面図である。
【図４】本発明の実施形態に係る図１のＢ-Ｂ断面図である。
【図５】本発明の実施形態に係る図１のＣ-Ｃ断面図である。
【図６】本発明の実施形態に使用する断熱パネルの斜視図である。
【図７】本発明の実施形態に使用する断熱パネルの他の形態の斜視図である。
【図８】本発明の実施形態に係る基礎部の構成を示す拡大断面図である。
【図９】本発明の実施形態に係る家屋部の壁面の構成を示す拡大断面図である。
【図１０】本発明の実施形態に係る屋根部の構成を示す拡大断面図である。
【図１１】本発明の実施形態に係る基礎部と家屋部の一部の構成を示す斜視図である。
【発明を実施するための最良の形態】
【００１６】
この発明の要旨は、敷地面に築造したフーチン枠内の地中空間内の地面に防湿断熱材を敷設し、防湿断熱材の上方に地上床部を形成し、この地上床部に用途空間を形成し、更にその上方に各種居住空間を形成し、更には、かかる上下重複した用途空間と各種居住空間に隣接して地上床部から天井部に至る吹き抜け空間を形成したことを特徴とした家屋構造とすること、及び敷地面に築造したフーチン枠内の地上面に敷設する防湿断熱材としては発泡樹脂材としたこと、並びに地上床部に形成した用途空間の外壁は遮熱透湿防水シート材で形成したことにある。なお、フーチンとは下記実施例の説明において基礎コンクリート土台と立ち上りコンクリート土台の両方を合わせた建築家屋の基礎のことを指し示している。
【００１７】
この発明の実施例について図面を参照しながら詳細に説明する。
【００１８】
図１及び図２は、本発明家屋の平面図であり、図３乃至図５は図１及び図２の平面図の所定部分を断面視した模式図であり、図６及び図７は本発明の家屋の基礎部の構成を示す図であり、図８乃至図１１は本発明家屋の基礎部と家屋部、及び屋根部の構成を示す断面図、及び斜視図である。
【００１９】
本発明の家屋Ａは図３に示すように基礎部１００と家屋部２００と屋根部３００の３つの特徴ある構成によって敷地面積の狭い空間にもかかわらず可及的に広い空間の感覚を得ることができる居住空間を提供可能なように構成している。
【００２０】
（基礎部１００）
この家屋Ａを形成するための基礎部１００について図８を参照して説明する。図８は図３に図示されている基礎部１００の拡大断面図である。
基礎部１００は図８に示すように、地面Ｇに所定の基礎穴を掘削し、基礎穴中に割栗石１０１や目潰し砂利（図示せず）を敷設し、さらに、割栗石１０１の上部に捨てコンクリート１０２と断熱材１０３を敷設し、この断熱材１０３の下面に薄膜の防湿断熱材１０５を被覆する。なお、防湿断熱材１０５は屋内と屋外で湿度や温度の授受を可能とする素材で構成されていれば良く、ポリエチレンやアルミ圧着フィルムなどで構成している。
また、捨てコンクリート１０２の上部には外側断熱型板１０４を立設し、後述する基礎コンクリート土台１０６の上部に内側断熱型板１０８を立設している。このような構成で基礎部１００は構成されている。
【００２１】
捨てコンクリート１０２の上面には断面略コ字状で上部に開口部を設けた下枠固定材（図示せず）が敷設されており、この下枠固定材（図示せず）の上部に設けた開口部から外側断熱型板１０４を挿入して立設している。外側断熱型板１０４は、発泡樹脂材からなる側面視略方形状の板体からなり、外側断熱型板１０４の短側面同士を順次繋ぎ併せてコンクリート打設時の型枠として所定の形状を形成している。
なお、外側断熱型板１０４の短側面の形状は、図６に示すように、平面で形成されていても、図７に示すように外側断熱型板１０４の長手方向両端部に略半分の厚みで段差１３０が形成されていても良い。いずれの形態にしても、外側断熱型板１０４はその接合部から打設したコンクリートが漏洩しなければどのような接合形態であっても良い。
【００２２】
図８に示すように、断熱材１０３は約５０ｍｍの厚みに形成されたＡ種押出し法ポリスチレンフォーム保温板で形成されており、この断熱材１０３の内部空間をポリスチレン樹脂の薄膜で仕切られた無数の独立した気泡で構成し、この気泡内に熱伝導率の低いガスを封入することで封入ガスの低い熱伝導率とポリスチレン樹脂の隔壁により屋内の温度を出来るだけ一定に保持できる。
【００２３】
また、断熱材１０３の下面と割栗石１０１との間には防湿断熱材１０５を張設している。防湿断熱材１０５は、約０．１５ｍｍの厚みに形成した湿気を遮断する素材でシート状に形成されている。なお、防湿断熱材１０５は湿気を遮断できればどのような素材で構成されていても良く、ポリエチレンやアルミ圧着フィルムなどで構成されている。
【００２４】
このように断熱材１０３の下面に防湿断熱材１０５を張設することで屋内の断熱性能を向上させると共に、防湿断熱材１０５の防湿作用により室内に湿気を流入させる虞を低減し、適切な居住環境を実現できる。
【００２５】
また、捨てコンクリート１０２、及び断熱材１０３の上面を被覆した防湿断熱材１０５の上部には略直方体のスペーサ（いわゆるサイコロ）１６１を所定の間隔で配設し、その上に土台の骨格となる鉄筋１６２を所定の間隔で格子状に敷設し、この鉄筋１６２を包含するように基礎コンクリート土台１０６を打設している。
【００２６】
この基礎コンクリート土台１０６の上面には、下枠固定材（図示せず）を備えており、この下枠固定材の開口部に内側断熱型板１０８を挿入して立設している。
【００２７】
内側断熱型板１０８は外側断熱型板１０４と同様に発泡樹脂材からなる略矩形形状の断熱パネルとして形成されており、横方向に順次繋ぎ併せて所定の形状に形成している。なお、内側断熱型板１０８の接合部の構造は図６及び図７に示すように、外側断熱型板１０４の形状と同様に内側に打設したコンクリートが漏洩しなければどのような接合形態であっても良い。
【００２８】
このように形成された外内側断熱型板１０４、１０８と基礎コンクリート土台１０６で囲まれた空間内に立上りコンクリート土台１０９を打設している。
【００２９】
この立上りコンクリート土台１０９は、上面にアンカーボルト支持機構（図示せず）に支持されたアンカーボルトを挿通固定している。なお、アンカーボルトの立上りコンクリート土台１０９に埋入しない部分を断面略方形状の家屋土台１１０に挿通することで後述する家屋部２００を基礎部１００と連結して、家屋部２００が基礎部１００から落下する蓋然性を低減している。
【００３０】
以上のように、一実施の形態において説明した本発明に係る基礎部１００は、上述した実施の形態に限定されず、本発明の趣旨に沿う範囲で、種々の態様を採用することができる。
【００３１】
（家屋部２００について）
前述の基礎部１００の上部に形成する家屋部２００について図８乃至図１０を参照して詳説する。
家屋部２００は、基礎部１００で形成された基礎コンクリート土台１０６に家屋土台１１０を介して地上面から家屋Ａの天井面に向けて通し柱を形成し、各通し柱間に壁面を形成するための間柱２１０を立設し、各間柱２１０に壁体２２０を張設し、壁体２２０により囲まれた空間に用途空間Ｓと各種居住空間Ｌとを形成し、間柱２１０の上方に屋根部３００を設けることで形成されている。
【００３２】
図９及び図１０に示すように、壁体２２０は、間柱２１０と外壁２２１と外通気層２３０と遮熱透湿防水シート材２２２と外断熱材２２４と壁セルロースファイバー層２２５と壁セルロース受シート２２６と内壁２２７と内装材２２８とを屋外から屋内に向けて順次重ねて構成している。
【００３３】
図９に示すように、間柱２１０は家屋Ａの躯体を形成する図示しない通し柱の各柱間に立設した柱であり、屋内外の側面に後述する外断熱材２２４と壁セルロース受シート２２６を張設することで家屋Ａの壁面を支持する支持機構として機能している。
【００３４】
外壁２２１は、約１６ｍｍの厚さで窯業系サイディング材を加工した外装板で構成しており、家屋Ａの外周壁面を形成する。この窯業系サイディング材はセメント質と繊維質の混合物を板状に形成したものであり、その繊維質によってこのサイディング材に含有される空気の層が屋外との熱伝導を阻害して室温を一定に維持できる。
【００３５】
外通気層２３０は、外壁２２１と外断熱材２２４との間において約１８ｍｍの幅員を有した空気層として形成されている。すなわち、屋外温度は外壁２２１を媒体として熱を室内側に伝導しようとするもののこの外通気層２３０に形成される空気層により、その熱伝導が鈍化される。
【００３６】
この外通気層２３０と接する外断熱材２２４には遮熱透湿防水シート材２２２をその表面に張設している。この遮熱透湿防水シート材２２２は、不織布を基材として形成しており、その不織布のおもて面は全面をアルミ箔でコ-ティングし、裏面をドット状のアルミ箔でコーティングしている。そのため、遮熱透湿防水シート材２２２は、外部からの水、風の侵入を防止すると共に、アルミ箔のコーティングにより室内に向かう輻射熱をさえぎると共に、内側からの湿気を外部に放出できる構成としている。
【００３７】
この遮熱透湿防水シート材２２２を張設した外断熱材２２４は、約２０ｍｍの厚みに形成されたＡ種押出し法ポリスチレンフォーム保温板で形成されている。そのため、外断熱材２２４は内部に空気の層を形成しており、この外断熱材２２４の空気層と外断熱材２２４に接する外通気層２３０内に滞留形成される空気層との相乗効果によって外気温を室内に伝導することを可及的に低減している。
【００３８】
この外断熱材２２４の室内側には壁セルロースファイバー層２２５を配設している。壁セルロースファイバー層２２５は、植物由来の繊維質裁断片を圧縮固化した天然パルプで形成されており、間柱２１０の両側面に張設した前述の外断熱材２２４と後述する壁セルロース受シート２２６によって形成された空間内に装填することで層として形成されている。この壁セルロースファイバー層２２５は壁体２２０の断面略中央部に位置しており、その構成材質を繊維質裁断片とし、その繊維質裁断片を密に装填して層を形成することで吸湿性と遮熱性を備えている。
従って、室内空間はこの壁セルロースファイバー層２２５によって温湿度を管理されており、室内空間が感想状態の際にはこの壁セルロースファイバー層２２５より湿気を放出して隣接する内通気層２３１を介して室内空間の調湿機能を果たすことができる。
なお、図９及び図１０に示す符号２２６は間柱２１０の室内空間側に張設した壁セルロース受シート２２６であり、壁セルロースファイバー層２２５の室内側側面を閉塞している。壁セルロース受シート２２６はこのようにして壁セルロースファイバー層２２５を構成するセルロース細片が飛散や崩落することを規制している。
【００３９】
この壁セルロース受シート２２６の室内側には内通気層２３１を設けており、この内通気層２３１は約２１ｍｍの厚みで構成されている。内通気層２３１は、基礎部１００と家屋部２００との境界部分に配設した家屋土台１１０を基端として屋根部３００に形成した後述する屋根裏部３３０に至るように構成しており、該屋根裏部３３０と内通気層２３１とは連通している。
【００４０】
この内通気層２３１の室内側には内壁２２７を形成しており、この内壁２２７は石膏を芯材としてその周面をボード用紙で被覆した約１２．５ｍｍの厚みに形成したプラスターボードで構成しており、そのおもて面には室内内装のクロス張りや石膏仕上げなどの内装材２２８を張設している。
【００４１】
上述したように家屋部２００を構成しており、屋外と屋内の熱伝導を規制した上で室内を適切な湿度に調湿可能な構成とすることで快適な室内空間を提供できる。
【００４２】
（屋根部３００について）
次に前述の家屋部２００の上部に形成する屋根部３００について図１１を参照して詳説する。
間柱２１０の上方には、図１１に示す屋根部３００を形成し、この屋根部３００は屋外から屋内に向けて屋根３１０と屋根裏部３３０と天井部３４０によって構成されている。
【００４３】
屋根３１０は、図５に示すように家屋Ａの躯体である棟木３２９と、各間柱２１０の上部に横架する桁３２３と、この棟木３２９と桁３２３に架設した垂木３１４と、この垂木３１４に棟木３２９から桁３２３に向けて等間隔に複数固設される母屋３１５と、垂木３１４の上部に配設される野地板３１２と、この野地板３１２の上面に配設したガルバリウム鋼板(登録商標)３１１と、この野地板３１２の下面に張設したサーモバリア３１３（図１１参照）と、で構成されており、さらに、垂木３１４の下部から屋内側に向けて順次屋根セルロース受シート３１７、屋根セルロースファイバー層３１８と屋根遮熱材３１９を配設し、この屋根遮熱材３１９の下部に屋根裏部３３０を配設している。
【００４４】
ガルバリウム鋼板３１１は、腐食防止のために芯材となる鋼板の周面をメッキ層で覆った構成としている。ガルバリウム鋼板３１１は、このメッキ層を亜鉛とアルミニウムの合金で構成することで芯材である鋼板の腐食を防止すると共に、耐用年数を向上した軽量な屋根を形成できる。
【００４５】
野地板３１２は前述のガルバリウム鋼板３１１を載置支持するための合板であり、家屋Ａの躯体である垂木３１４に固定されている。野地板３１２は複数の薄板を積層し、プレス成形で形成されており各薄板の繊維方向を交互に直交して積層することで所定の強度を備えている。また、野地板３１２はガルバリウム鋼板３１１のような重量物を支持可能な強度を備えた上で、合板として形成される際に屋根の形状や所定の寸法値に応じて任意の形状に加工できるため家屋Ａの屋根部３００を構成する際に緊密な屋根形態を実現できる。
【００４６】
この野地板３１２の下面には、図１１に示すように、サーモバリア３１３を張設している。サーモバリア３１３は屋外からの輻射熱を屋内に伝導しないように、または、屋内からの輻射熱を屋外に伝導しないように輻射熱を反射する素材で構成されており、例えば、アルミシートで構成することで屋外と屋内輻射熱の熱伝導を阻害することができる。また、サーモバリア３１３の下面には棟木３２９と桁３２３に垂木３１４を架設しており、その垂木３１４の下面に母屋３１５を連結している。このような構成とすることで、家屋Ａの屋根部３００の強度を確保しつつも空気の流通路を形成して通気性を確保している。
【００４７】
この母屋３１５には束３１６を垂設しており、束３１６の下端部は梁３２２に連結している。このように構成することで屋根３１０に配設したガルバリウム鋼板３１１や野地板３１２の重量を支持することができる。さらに、この母屋３１５の下部には屋根セルロース受シート３１７を張設しており、この屋根セルロース受シート３１７は後述する屋根セルロースファイバー層３１８を形成するセルロース細片が飛散や崩落することを防止するための幕として機能する。
【００４８】
屋根セルロースファイバー層３１８は、壁セルロースファイバー層２２５と同様に植物由来の繊維質裁断片を圧縮固化した天然パルプで略１５０ｍｍの厚みに形成している。この屋根セルロースファイバー層３１８は屋根部３００の高さ方向の略中央に位置しており、材質を上述の繊維質裁断片で構成することで優れた吸湿性能、遮熱性能を提供することができる。従って、室内空間は屋根セルロースファイバー層３１８によって温湿度が管理されており、例えば、室内空間が乾燥している場合は、この屋根セルロースファイバー層３１８が含有する水分を後述する室内側の屋根裏部３３０に放出することで室内空間の調温と調湿機能を果たすことが出来る。さらに、この屋根セルロースファイバー層３１８の下面には屋根遮熱材３１９を配設している。
【００４９】
屋根遮熱材３１９は、図５及び図１１に示すように約２０ｍｍの厚みで形成されたＡ種押出し法ポリスチレンフォーム保温板にて形成されており、その下部に配設した受木３２１によって支持固定されている。このＡ種押出し法ポリスチレンフォーム保温板は、ポリスチレン樹脂の薄膜で仕切られた、無数の独立した気泡で構成されており、この気泡内に熱伝導率の低いガスを封入することで、封入ガスの低い熱伝導率とポリスチレン樹脂中を通過する空気の低通過速度により熱の伝達を阻害している。また、屋根遮熱材３１９は上述した屋根セルロースファイバー層３１８を形成する際の受け材として機能している。そのため、屋根セルロースファイバー層３１８と、屋根遮熱材３１９との相互断熱作用により屋内と屋外との熱の伝達を規制できる。
【００５０】
また、屋根遮熱材３１９及び受木３２１の下部には空気の滞留層として屋根裏部３３０を形成している。屋根裏部３３０は壁体２２０に形成した内通気層２３１と連通しており、室内空間を形成する内壁２２７及び後述する室内天井３４１を介して室内空間における体感の温湿度を一定にできる。
【００５１】
また、屋根裏部３３０の下部には天井部３４０を形成している。この天井部３４０は屋根裏部３３０側から室内に向かって吊木受け３２４、吊木３２５、野縁受け３２６、野縁３２７、室内天井３４１で構成されている。
【００５２】
図１１に示すように室内天井３４１は桁３２３と小屋梁３２８の端部を連結することで家屋Ａの天井の枠組みを形成し、また、桁３２３に吊木受け３２４を架設し、この吊木受け３２４から吊木３２５を垂設している。さらに、この吊木３２５の下部に野縁３２７を連結し、この野縁３２７に平面視で直交するように野縁受け３２６を連結している。このように野縁３２７と野縁受け３２６とを格子状に配置し、この野縁受け３２６と野縁３２７の下部に下地板３３１を設け、さらに下地板３３１の下面に室内天井３４１を張設して室内天井を構成している。
【００５３】
家屋Ａは上述した基礎部１００、家屋部２００、屋根部３００による構成で形成されており、この構成によって後述する用途空間Ｓや居住空間Ｌを形成することができる。
【００５４】
基礎コンクリート土台１０６上に形成した立上りコンクリート土台１０９の枠内の地上面には家屋Ａの床面を形成するための根太４０３を格子状に配設し、この根太４０３の上部に室内空間の床材として床下地４０２及び床板４０１を張設して家屋Ａ内の地上床部４０５を構成する。そして、この地上床部４０５と前述した壁体２２０を組み合わせることで図１、３、４に示す用途空間Ｓ１，Ｓ２を形成している。
【００５５】
ここでの用途空間Ｓ１，Ｓ２は多用途に利用できる空間であり、例えば、食品や雑物の保管庫や一般倉庫やピアノ演奏練習用の防音スタジオやペット居住空間や各種趣味用の多用途スペースやトイレ室や洗面室など、法規制上居住空間にできない空間を指称する。
【００５６】
かかる用途空間Ｓ１、Ｓ２によって家屋Ａ内でかなりの空間を占めている居住以外の雑物空間、例えば、物収納空間を用途空間Ｓ１，Ｓ２として利用することにより本来の居住空間を可及的に広く利用できる。
【００５７】
しかも、かかる用途空間Ｓ１，Ｓ２の一部は従来床下空間として生活に利用することができなかった空間であり、かかるデッドスペースを有効利用することができる分、家屋Ａにおいて図２と図３に示す居住空間Ｓ３及び図４に示す居住空間Ｓ４を可及的に拡充して使用することができる効果を生起する。
換言すれば、立上りコンクリート土台１０９の枠内の敷地面から直接に地上空間が形成されているため、従来床下空間として形成していた空間を居住空間ではない生活関連の用途空間Ｓ１，Ｓ２として活用することができ、敷地面積の狭い家屋にもかかわらず生活のための空間を拡張した快適な家屋を構築することができる。
【００５８】
かかる地上床部に形成した用途空間Ｓ１，Ｓ２の上方には各種の居住空間Ｓ３，Ｓ４を形成しており、例えば、居住空間Ｓ３、Ｓ４として子供用机や２段ベッドや遊戯スペースなどを載置形成する子供部屋、学習部屋、或いは大人の読書室、趣味の部屋等の空間を形成する。
【００５９】
すなわち、用途空間Ｓ１，Ｓ２の上方には各種の居住空間Ｓ３，Ｓ４を形成して上下重複した部屋が形成されており、かかる上下重複した用途空間Ｓ１，Ｓ２と居住空間Ｓ３，Ｓ４に隣接して床板４０１から室内天井３４１に至る吹き抜け空間Ｄが形成されている。
【００６０】
この吹き抜け空間Ｄは上下重複した用途空間Ｓ１，Ｓ２と各種居住空間Ｓ３，Ｓ４に隣接して床板４０１から室内天井３４１に至る空間であるため、この吹き抜け空間Ｄから隣接のした各種居住空間Ｓ３，Ｓ４を見上げると目視対比の錯覚により吹き抜け空間Ｄの室内天井３４１の高さをより高位置に錯覚して認識することとなり、敷地面積の狭い家屋構造にもかかわらず室内の容積容量を実測よりも大きい印象を付与し、快適空間とすることができる。
【００６１】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００６２】
１００  基礎部
１０１  割栗石
１０２  捨てコンクリート
１０３  断熱材
１０４  外側断熱型板
１０５  防湿断熱材
１０６  基礎コンクリート土台
１０７  防湿断熱材
１０８  内側断熱型板
１０９  立上りコンクリート土台
１１０  家屋土台
１３０  段差
１６１  スペーサ
１６２  鉄筋
２００  家屋部
２１０  間柱
２２０  壁体
２２１  外壁
２２２  遮熱透湿防水シート
２２４  外断熱材
２２５  壁セルロースファイバー層
２２６  壁セルロース受シート
２２７  内壁
２２８  内装材
２３０  外通気層
２３１  内通気層
３００  屋根部
３１０  屋根
３１１  ガルバリウム鋼板
３１２  野地板
３１３  サーモバリア
３１４  垂木
３１５  母屋
３１６  束
３１７  屋根セルロース受シート
３１８  屋根セルロースファイバー層
３１９  屋根遮熱材
３２１  受木
３２２  梁
３２３  桁
３２４  吊木受け
３２５  吊木
３２６  野縁受け
３２７  野縁
３２８  小屋梁
３２９  棟木
３３０  屋根裏部
３３１  下地板
３４０  天井部
３４１  室内天井
４０１  床板
４０２  床下地
４０３  根太
４０４  階段
４０５  地上床部
Ｄ  吹き抜け空間
Ｇ  地面
Ｌ  居住空間
Ｓ，Ｓ１，Ｓ２  用途空間
Ｓ３，Ｓ４  居住空間
【図１】
2020029740.tif 000003
【図２】
2020029740.tif 000004
【図３】
2020029740.tif 000005
【図４】
2020029740.tif 000006
【図５】
2020029740.tif 000007
【図６】
2020029740.tif 000008
【図７】
2020029740.tif 000009
【図８】
2020029740.tif 000010
【図９】
2020029740.tif 000011
【図１０】
2020029740.tif 000012
【図１１】
2020029740.tif 000013